(57)【要約】      （修正有）【課題】ポンプの吐出量の調節作業が行い易い土壌消毒機を提供する。【解決手段】消毒用の薬液を圧送するとともに、薬液の吐出量を調節可能な複数の薬液ポンプと、圃場内に先端を挿入するとともに、複数の薬液ポンプから圧送される薬液を圃場に注入する複数の薬液注入爪５３と、を具備する土壌消毒機１であって、複数の薬液ポンプは、少なくとも左右一側の外縁部に、前後方向に並設した。【選択図】図１
2011055804.tif 000002
【特許請求の範囲】
【請求項１】
消毒用の薬液を圧送するとともに、薬液の吐出量を調節可能な複数の薬液ポンプと、
圃場内に先端を挿入するとともに、前記複数の薬液ポンプから圧送される薬液を圃場に注入する複数の薬液注入爪と、
を具備する土壌消毒機であって、
前記複数の薬液ポンプは、
少なくとも左右一側の外縁部に、前後方向に並設される土壌消毒機。
【請求項２】
前記薬液ポンプは、
薬液の吐出量を調節する調節レバーと、
前記調節レバーに連動して移動する針板と、
を具備し、
前記薬液ポンプを支持するポンプケースの上面には、
前記針板の位置を確認可能な目盛盤が設けられる請求項１に記載の土壌消毒機。
【請求項３】
前記調節レバーは、
機体外方に向けて突設される請求項２に記載の土壌消毒機。
【請求項４】
前記薬液ポンプは、
薬液を圧送する圧送装置と、
揺動クランクの揺動運動により前記圧送装置を駆動する駆動装置と、
を具備し、
前記針板は、
前記クランクの支点軸に固定される請求項２又は請求項３に記載の土壌消毒機。
【請求項５】
前記針板は、
前記圧送装置と干渉しないように折り曲げられた一体の部材により形成される請求項４に記載の土壌消毒機。
【発明の詳細な説明】
【技術分野】
【０００１】
本発明は、トラクタに牽引され、園芸作物や野菜等を栽培するための圃場に薬液を注入する土壌消毒機の技術に関する。
【背景技術】
【０００２】
従来、トラクタに牽引され、園芸作物や野菜等を栽培するための圃場に薬液を注入する土壌消毒機の技術は公知となっている。このような土壌消毒機の技術としては、特許文献１に記載の技術が知られている。
【０００３】
特許文献１に記載の土壌消毒機は、機体左右方向略中央部において左右方向に並設され、消毒用の薬液を圧送する複数のポンプと、ポンプから圧送される薬液を圃場に注入する複数の薬液注入爪と、を具備するものである。このような構成において、ポンプから圧送される薬液を、薬液注入爪の下端部に設けられた吐出口から圃場に注入することができる。
【０００４】
しかし、ポンプが吐出量を調節可能に構成されている場合、当該ポンプが土壌消毒機の左右方向略中央部に並設されているため、作業者は土壌消毒機の左方又は右方から身を乗り出してポンプの吐出量を調節する作業を行う必要があり、当該調節作業が行い難いという点で不利であった。
【先行技術文献】
【特許文献】
【０００５】
【特許文献１】特開平８−１７３００４号公報
【発明の概要】
【発明が解決しようとする課題】
【０００６】
本発明は以上の如き状況を鑑みてなされたものであり、ポンプの吐出量の調節作業が行い易い土壌消毒機を提供するものである。
【課題を解決するための手段】
【０００７】
本発明の解決しようとする課題は以上の如くであり、次にこの課題を解決するための手段を説明する。
【０００８】
即ち、請求項１においては、
消毒用の薬液を圧送するとともに、薬液の吐出量を調節可能な複数の薬液ポンプと、
圃場内に先端を挿入するとともに、前記複数の薬液ポンプから圧送される薬液を圃場に注入する複数の薬液注入爪と、
を具備する土壌消毒機であって、
前記複数の薬液ポンプは、
少なくとも左右一側の外縁部に、前後方向に並設されるものである。
【０００９】
請求項２においては、
前記薬液ポンプは、
薬液の吐出量を調節する調節レバーと、
前記調節レバーに連動して移動する針板と、
を具備し、
前記薬液ポンプを支持するポンプケースの上面には、
前記針板の位置を確認可能な目盛盤が設けられるものである。
【００１０】
請求項３においては、
前記調節レバーは、
機体外方に向けて突設されるものである。
【００１１】
請求項４においては、
前記薬液ポンプは、
薬液を圧送する圧送装置と、
揺動クランクの揺動運動により前記圧送装置を駆動する駆動装置と、
を具備し、
前記針板は、
前記クランクの支点軸に固定されるものである。
【００１２】
請求項５においては、
前記針板は、
前記圧送装置と干渉しないように折り曲げられた一体の部材により形成されるものである。
【発明の効果】
【００１３】
本発明の効果として、以下に示すような効果を奏する。
【００１４】
請求項１においては、薬液ポンプを機体の左右一側において前後方向に並設することで、作業者は、機体の側方から薬液ポンプの吐出量の調節やメンテナンス等を行うことができる。従って、機体の上方に身を乗り出す等の無理な体勢で作業を強いられることがなく、作業を容易に、かつ効率良く行うことができる。
【００１５】
請求項２においては、針板が目盛盤のどの位置にあるかを容易に確認することができ、薬液の吐出量の調節作業を精度良く、かつ容易に行うことができる。また、目盛盤が上面に設けられるので、薬液ポンプ間の間隔を狭めることができ、省スペース化を図ることができる。
【００１６】
請求項３においては、機体の側方から薬液の吐出量の調節作業を行いやすく、作業を容易に、かつ効率良く行うことができる。
【００１７】
請求項４においては、指示部を揺動クランクの揺動の支点軸に固定することにより、揺動クランクの揺動運動や操作レバーの回動等に影響されず、正確に操作レバーの位置を指示することができる。
【００１８】
請求項５においては、針板と圧送装置との干渉を回避することで各部品の損傷を防止するとともに、当該針板を容易に、かつ安価に構成することができる。
【図面の簡単な説明】
【００１９】
【図１】本発明の第一実施形態に係る土壌消毒機の全体構成を示す背面斜視図。
【図２】同じく正面斜視図。
【図３】連結部、支持部、及び薬液注入部を示す斜視図。
【図４】薬液圧送部の取付構造を示す斜視図。
【図５】薬液圧送部の構成を示す斜視図。
【図６】ポンプユニットの構成を示す斜視図。
【図７】同じく背面一部断面図。
【図８】マルチ作業部の構成を示す斜視図。
【図９】マルチ支持機構の構成を示す背面概略図。
【図１０】フィルムパイプを交換する際のマルチ支持機構の様子を示す背面概略図。
【図１１】本発明の第二実施形態に係る土壌消毒機の全体構成を示す側面概略図。
【図１２】鎮圧作業部の構成を示す斜視図。
【発明を実施するための形態】
【００２０】
次に、図１及び図２を用いて、本発明に係る土壌消毒機の第一実施形態である土壌消毒機１の全体構成について説明する。
【００２１】
土壌消毒機１は、トラクタ２００により牽引され、圃場に薬液を注入した後、当該圃場にマルチフィルム６５ａを張る（マルチングする）ものである。土壌消毒機１は、主として連結部１０、支持部２０、薬液圧送部３０、薬液注入部５０、マルチ作業部６０を具備する。
【００２２】
トラクタ２００が具備する耕耘装置２０１には、連結部１０が連結され、当該連結部１０の前上方には、支持部２０が配置される。連結部１０及び支持部２０の左端部には、圃場を消毒するための薬液を貯溜する薬液タンク２３・２３が配置される。また、支持部２０の右端部には、薬液タンク２３・２３内に貯溜された薬液を圧送するための薬液圧送部３０が配置される。支持部２０の右端部近傍であって薬液圧送部３０の左方には、薬液圧送部３０による薬液の吐出の有無を確認するための確認計２４が配置される。
【００２３】
連結部１０の下方には、薬液注入部５０が配置される。薬液注入部５０には、薬液圧送部３０により送り出された薬液を圃場に注入する複数の薬液注入爪５３・５３・・・が左右方向に並設される。後方に配置される薬液タンク２３、薬液圧送部３０、確認計２４、及び薬液注入部５０は、薬液の流路となる複数本のホースによって接続される。
【００２４】
連結部１０の後方には、マルチ作業部６０が配置される。マルチ作業部６０の左右両端前部には、圃場に溝を作る作溝輪６４・６４がそれぞれ配置される。作溝輪６４・６４の後方には、車輪６３・６３がそれぞれ回動自在に支持される。車輪６３・６３の後方には、マルチフィルム６５ａを巻いて構成されるフィルムパイプ６５を回動可能に支持するマルチ支持機構７０・７０がそれぞれ配置される。マルチ支持機構７０・７０の後方には、圃場に張られたマルチフィルム６５ａを押さえるマルチ押圧輪６６・６６がそれぞれ配置される。また、マルチ押圧輪６６・６６の後方には、圃場に張られたマルチフィルム６５ａの両端に土を被せる覆土輪６７・６７がそれぞれ配置される。
【００２５】
このように構成された土壌消毒機１において、後方に配置される薬液タンク２３内の薬液は、薬液圧送部３０によって、確認計２４を介して薬液注入爪５３・５３・・・へと供給される。薬液注入爪５３・５３・・・は、圃場内に先端を挿入させながら薬液圧送部３０によって供給される薬液を圃場へと注入する。
また、薬液が注入された圃場には、フィルムパイプ６５から供給されるマルチフィルム６５ａが張られる。当該マルチフィルム６５ａの左右両端は、マルチ押圧輪６６・６６により押圧される。その後、覆土輪６７・６７により、当該マルチフィルム６５ａの左右両端に土が被せられ、圃場にマルチフィルム６５ａを張ることができる。
このように、マルチフィルム６５ａにより圃場に注入された薬液の発散を防止することで、当該薬液による圃場内の殺菌及び消毒を効果的に行うことができる。
【００２６】
次に、図３を用いて、連結部１０の構成について説明する。連結部１０は、主として連結部材１１、高さ調節レバー１７を具備する。
【００２７】
連結部材１１は、種々の板材、パイプ部材等から構成される。連結部材１１は、主として主フレーム１２、サイドフレーム１３・１３、嵌合部材１４、レバー支持部材１５、調節フレーム１６・１６を具備する。
【００２８】
主フレーム１２は、角状のパイプ部材である。主フレーム１２の長手方向は左右方向に向けて配置される。
【００２９】
サイドフレーム１３・１３は、左右一対の板状の部材である。サイドフレーム１３・１３の後端は、主フレーム１２の左右略中央付近において、主フレーム１２に固設される。
【００３０】
嵌合部材１４は、板状の部材を側面視略Ｃ字状に折り曲げて形成されるものである。嵌合部材１４は、開放側を前方に向けて配置される。また、嵌合部材１４の後端は、サイドフレーム１３・１３の前端に固設される。
【００３１】
レバー支持部材１５は、箱状に形成されたものである。レバー支持部材１５は、主フレーム１２の左右略中央において、主フレーム１２の後面に固設される。レバー支持部材１５には、その上下を貫通する貫通孔１５ａが形成される。
【００３２】
調節フレーム１６・１６は、円柱状の部材である。調節フレーム１６・１６の長手方向は上下方向に向けて配置され、レバー支持部材１５の左右両側部から下方に向けて延設される。
【００３３】
高さ調節レバー１７は、板材、棒材当から構成される。高さ調節レバー１７の下部にはネジ部１７ａが形成され、高さ調節レバー１７の上部には、操作部１７ｂが形成される。高さ調節レバー１７の下部は、レバー支持部材１５の貫通孔１５ａに挿通され、所定の上下方向位置に保持される。
【００３４】
このように構成された連結部１０において、嵌合部材１４の開放部を、耕耘装置２０１の後部に横架されるビームバー２０２に嵌合させ、ボルト等により固定することによって、連結部１０を耕耘装置２０１に連結させることができる。
【００３５】
次に、支持部２０の構成について説明する。支持部２０は、主として支持フレーム２１、支持板２２・２２を具備する。
【００３６】
支持フレーム２１は、角状のパイプ部材である。支持フレーム２１の長手方向は左右方向に向けて配置される。
【００３７】
支持板２２・２２は、左右一対の板状の部材である。支持板２２・２２の後端部は、サイドフレーム１３・１３の前端部にボルトやナットにより締結される。支持板２２・２２の前端は、挟持部材２２ａ・２２ａとの間に支持フレーム２１を挟持することで、支持フレーム２１に固設される。
【００３８】
次に、図４から図７までを用いて、薬液圧送部３０の構成について説明する。薬液圧送部３０は、主としてポンプ支持部材３１、ポンプユニット３２、モータ４７、ポンプ取付部材４８を具備する。
【００３９】
ポンプ支持部材３１は、板状の部材を正面視略Ｃ字状に折り曲げて形成されるものである。ポンプ支持部材３１は、開放側を下方に向けて配置され、その長手方向は前後方向に向けて配置される。
【００４０】
ポンプユニット３２は、２つの薬液ポンプ３６・３６を並設してユニット化したものである。本実施形態において、土壌消毒機１はポンプユニット３２を３つ具備するものとする。ポンプユニット３２は、ポンプ支持部材３１の上面に、前後方向に並設される。
【００４１】
モータ４７は、薬液ポンプ３６を駆動するための動力源となるものである。モータ４７は、最も前方に配置されるポンプユニット３２の前部に固設される。モータ４７の上方は、板状の部材を折り曲げて形成されるモータカバー４７ａにより覆われる。なお、モータ４７は、最も後方に配置されるポンプユニット３２の後部に固設する構成とすることも可能であり、その取り付け位置を限定するものではない。
【００４２】
図４に示すように、ポンプ取付部材４８は、ポンプ支持部材３１を支持フレーム２１に取り付けるものである。ポンプ取付部材４８は、主として嵌合部材４８ａ、取付部材４８ｂ、ボルト部４８ｃ・４８ｃ・・・、挟持部材４８ｄを具備する。
【００４３】
嵌合部材４８ａは、板状の部材を側面視略Ｃ字状に折り曲げて形成されるものである。嵌合部材４８ａは、開放側を下方に向けて配置され、その形状は、支持フレーム２１に嵌合可能となるように形成される。
【００４４】
取付部材４８ｂは、左右一対の板状の部材である。取付部材４８ｂは、嵌合部材４８ａの上面に立設され、ボルトやナット等によりポンプ支持部材３１に締結可能に構成される。
【００４５】
ボルト部４８ｃ・４８ｃ・・・は、棒状の部材であり、嵌合部材４８ａの周囲４箇所に下方に向けて突設される。ボルト部４８ｃ・４８ｃ・・・の下部には、ネジ部が形成される。
【００４６】
挟持部材４８ｄは、板状の部材である。挟持部材の長手方向は、前後方向に向けて配置される。挟持部材４８ｄの前後両端部には、その上下を貫通する貫通孔４８ｅ・４８ｅが形成される。
【００４７】
このように構成されたポンプ取付部材４８を用いて、薬液圧送部３０を支持フレーム２１に固定する方法について説明する。まず、取付部材４８ｂ・４８ｂとポンプ支持部材３１とをボルトやナット等により締結する。次に、支持フレーム２１の右端部近傍において、嵌合部材４８ａを当該支持フレーム２１に嵌合させる。最後に、挟持部材４８ｄの貫通孔４８ｅ・４８ｅに、ボルト部４８ｃ・４８ｃ・・・を挿通し、ボルト部４８ｃ・４８ｃ・・・にナットを締結することにより、嵌合部材４８ａと挟持部材４８ｄとの間に支持フレーム２１が挟持される。このようにして、薬液圧送部３０は、ポンプユニット３２を前後方向に並べた状態で、支持フレーム２１の右端部近傍に固定される。なお、ポンプ取付部材４８を用いず、ポンプユニット３２を左右方向に並べた状態で、薬液圧送部３０を支持フレーム２１に固定することも可能である。
【００４８】
図５から図７までに示すように、ポンプユニット３２は、主としてポンプケース３３、薬液ポンプ３６・３６を具備する。
【００４９】
図５に示すように、ポンプケース３３は、ポンプユニット３２の主たる構造体となるものである。ポンプケース３３は、主としてベース体３４、カバー体３５を具備する。
【００５０】
ベース体３４は、ポンプ支持部材３１に連結される部材である。ベース体３４は複数の板材により構成され、ベース体３４の底面は、ボルト等によりポンプ支持部材３１に固定される。
【００５１】
カバー体３５は、ベース体３４を上方から覆い、当該ベース体３４とともに箱状の部材を形成するものである。カバー体３５の右側面の前後両端近傍には、パイプ状のレバーガイド３５ａ・３５ａが右方に向けてそれぞれ突設される。カバー体３５の上面には、長手方向を左右方向に向けて指針ガイド孔３５ｂ・３５ｂが形成される。また、カバー体３５の上面には、指針ガイド孔３５ｂ・３５ｂに沿って、所定間隔に目盛りが刻まれた目盛盤３５ｃ・３５ｃが配設される。
【００５２】
図５から図７までに示すように、薬液ポンプ３６は、外部からの動力により駆動され、薬液の吸入及び圧送を行うものである。薬液ポンプ３６は、各ポンプユニット３２に対して２つずつ設けられる。薬液ポンプ３６は、主として圧送装置３７、駆動装置４０を具備する。
【００５３】
図６及び図８に示すように、圧送装置３７は、薬液の吸入及び圧送を行うものである。圧送装置３７は、主としてダイヤフラムポンプ３８、連結ロッド３９を具備する。
【００５４】
ダイヤフラムポンプ３８は、弾性材料から成るダイヤフラム３８ａと、当該ダイヤフラム３８ａを上下から挟持する弁取付部材３８ｂ及びダイヤフラム取付部材３８ｃと、を具備する。また、弁取付部材３８ｂの上部には、吸入ポート３８ｄ及び吐出ポート３８ｅが突設される。
【００５５】
連結ロッド３９は、略円柱状の部材である。連結ロッド３９の上端は、ダイヤフラム３８ａの略中央に固定される連結ピン３８ｆに連結される。連結ピン３８ｆは、ポンプケース３３の側面に固定されるピン支持ステー３８ｇの縦孔３８ｈ内を摺動可能に挿通され支持されている。
【００５６】
なお、本実施形態における圧送装置３７は、ダイヤフラムポンプ３８を具備するものとしたが、プランジャポンプ等の往復駆動型のポンプであれば特には限定されない。
【００５７】
図５から図７までに示すように、駆動装置４０は、モータ４７の動力を圧送装置３７に伝達し、当該圧送装置３７を駆動するものである。駆動装置４０は、主として揺動クランク４１、支点軸４２、調節レバー４３、針板４４、駆動軸４５、偏心カム４６を具備する。
【００５８】
図６及び図７に示すように、揺動クランク４１は、略楕円形状の板材である。揺動クランク４１は、長手方向を左右に向けて配置される。揺動クランク４１の右端側には、長孔４１ａが形成され、揺動クランク４１の左端側には、楕円状孔４１ｂが形成される。揺動クランク４１の右上部には、連結ロッド３９の下端が枢支軸４１ｃ及び留め具４１ｄによって連結される。
【００５９】
支点軸４２は、略円柱形状の部材である。支点軸４２の一端側は、揺動クランク４１の長孔４１ａに挿通され、支点ベアリング４２ａを介して長孔４１ａにガイドされる。
【００６０】
調節レバー４３は、六角形断面を有する棒材を折り曲げて形成される部材である。調節レバー４３の左端はレバーガイド３５ａを介してポンプケース３３の内側に挿通され、支点軸４２の他端側に挿通された状態で固定される。調節レバー４３の右端は、ポンプケース３３の外側において、下方に向けて折り曲げられてレバー操作部４３ｂが形成される。レバーガイド３５ａの上部には、固定ボルト４３ａが螺挿される。固定ボルト４３ａを締め付けて、当該固定ボルト４３ａの下端を調節レバー４３に当接させることにより、調節レバー４３の左右方向位置を固定することができる。
【００６１】
針板４４は、板材を折り曲げて形成される部材である。針板４４の下端は、支点軸４２の一端に形成される平坦な取付部４２ｂに固定される。針板４４は、取付部４２ｂに固定するために垂設した装着部４４ａと、装着部４４ａの上端位置で左斜め上方に屈曲し延出して設けた延設部４４ｂと、延設部４４ｂの上端位置で上方に屈曲し立設させた指示部４４ｃとにより構成され、指示部４４ｃの先端には尖った指針４４ｄが形成されている。指針４４ｄは、ポンプケース３３の指針ガイド孔３５ｂに挿通される。針板４４をこのように折り曲げて形成することにより、支点軸４２の上方に位置するダイヤフラムポンプ３８との干渉を回避することができ、各部品の損傷を防止することができる。また、指針４４ｄは目盛盤３５ｃに刻まれた目盛りを指し示す。これによって、指針４４ｄの位置を、目盛盤３５ｃに刻まれた目盛りに基づいて確認することができる。また、針板４４を一体の部材、すなわち本実施形態においては一枚の板材により形成することで、当該針板４４を容易に、かつ安価に構成することができる。なお、本実施形態においては、目盛盤３５ｃに目盛りが刻まれるものとしたが、予め目盛りが印刷されたシールを目盛盤３５ｃに貼る構成とすることも可能である。
【００６２】
図５及び図７に示すように、駆動軸４５は、長手方向を前後方向に向けて配置され、揺動クランク４１の楕円状孔４１ｂに挿通される。駆動軸４５の前端は、モータ４７の出力軸に連結される。なお、駆動軸４５は、各ポンプユニット３２に亘って横設され、複数の薬液ポンプ３６・３６・・・は１本の駆動軸４５を共有するように構成される。
【００６３】
偏心カム４６は、略円柱形状の部材である。偏心カム４６には、偏心した位置において、軸心方向に貫通する貫通孔４６ａが形成され、当該貫通孔４６ａに駆動軸４５が挿通される。偏心カム４６と駆動軸４５とは、キー４６ｂによって相対回転不能に連結される。偏心カム４６は、駆動ベアリング４６ｃを介して揺動クランク４１の楕円状孔４１ｂにガイドされ、当該駆動ベアリング４６ｃは、固定部材４６ｄにより楕円状孔４１ｂから抜け出ないように固定される。
【００６４】
このように構成された薬液ポンプ３６において、図７に示すように、モータ４７から伝達される動力により、偏心カム４６が駆動軸４５を中心として回動する。偏心カム４６の回動により、揺動クランク４１の左端が上下に揺動し、この揺動運動に伴って、揺動クランク４１の右端は支点カムを支点として上下に揺動する。揺動クランク４１の揺動運動は、連結ロッド３９を介してダイヤフラム３８ａに伝達され、当該ダイヤフラム３８ａは上下に運動される。ダイヤフラムポンプ３８は、ダイヤフラム３８ａが下方に運動する際に吸入ポート３８ｄから薬液を吸入し、ダイヤフラム３８ａが上方に運動する際に吐出ポート３８ｅから薬液を圧送する。このようにして、薬液ポンプ３６は、モータ４７の動力により薬液の吸入及び圧送を行うことができる。
【００６５】
また、薬液ポンプ３６による薬液の圧送量（吐出量）を調節する場合、まず固定ボルト４３ａを緩めて調節レバー４３から離間させる。これによって調節レバー４３がレバーガイド３５ａに沿って左右方向に移動可能となるため、作業者はレバー操作部４３ｂを把持し、調節レバー４３を左右方向に押し引きしてスライド操作する。調節レバー４３のスライド操作に伴って、支点軸４２が揺動クランク４１の長孔４１ａにガイドされながら左右方向に移動するとともに、針板４４が指針ガイド孔３５ｂにガイドされながら左右方向に移動する。この際、針板４４の指針４４ｄが、目盛盤３５ｃのどの位置を指し示しているかを確認することによって、正確な調節が可能となる。調節レバー４３を所望の位置まで操作した後、再び固定ボルト４３ａを締め付けて、調節レバー４３を固定する。このようにして支点軸４２の左右方向位置を調節することにより、揺動クランク４１の左端の上下揺動幅に対する、右端の上下揺動幅を調節することができ、ひいては薬液ポンプ３６による薬液の圧送量（吐出量）を調節することができる。
【００６６】
また、図１及び図２に示すように、薬液圧送部３０を機体右側の外縁部に配置することにより、機体の右側から薬液圧送部３０による薬液の圧送量（吐出量）の調節やメンテナンスを行うことができる。より詳細には、機体右側の外縁部に、薬液ポンプ３６を前後方向に並設し、調節レバー４３を右方に向かって突設することで、機体右側に立った作業者が、容易に調節レバー４３の操作や薬液圧送部３０のメンテナンスを行うことができる。また、本実施形態の如く、機体右側に薬液圧送部３０を、機体左側に薬液タンク２３・２３を、それぞれ配置することにより、機体左右の重量差を可能な限り小さくすることができる。これによって、機体左右方向の傾きを防止することができる。
【００６７】
さらに、作業者は、ポンプユニット３２の上部に配置された針板４４及び目盛盤３５ｃによって、調節レバー４３の位置を上方から容易に確認することができ、ポンプケース３３の側面に針板４４や目盛板を設ける場合とは異なり、わざわざ側方に回って薬液吐出量の設定値を確認する必要がなく、目盛りが見やすいため薬液の圧送量の調節作業を精度良く、かつ容易に行うことができる。さらにまた、針板４４を支点軸４２に固定することによって、揺動クランク４１の揺動運動や調節レバー４３の回動等によって針板４４が傾倒することがなく、正確な調節レバー４３の位置を読み取ることができる。
【００６８】
なお、本実施形態においては、機体右側に薬液圧送部３０を配置する構成としたが、本発明はこれに限るものではなく、機体左側に配置する構成とすることも可能である。この場合、薬液タンク２３・２３を機体右側に配置することが望ましい。
【００６９】
次に、図１から図３までを用いて、薬液注入部５０の構成について説明する。薬液注入部５０は、主として爪フレーム５１、可動フレーム５２、薬液注入爪５３・５３・・・を具備する。
【００７０】
爪フレーム５１は、角状のパイプ部材である。爪フレーム５１の長手方向は左右方向に向けて配置される。
【００７１】
可動フレーム５２は、爪フレーム５１を連結部１０に対して上下可動に支持するものである。可動フレーム５２は、主として箱状部材５２ａ、ガイド部材５２ｂ、挟持部材５２ｃを具備する。
【００７２】
箱状部材５２ａは、板状の部材を組み合わせて構成される箱状の部材である。箱状部材５２ａの後端部には、その上下面を貫通する貫通孔５２ｄが形成される。貫通孔５２ｄにはネジ部が形成される。
【００７３】
ガイド部材５２ｂは、左右一対の円形状のパイプ部材である。ガイド部材５２ｂは、箱状部材５２ａの後端左右において、長手方向を上下方向に向けてそれぞれ固設される。
【００７４】
挟持部材５２ｃは、板状の部材を折り曲げて形成されるものである。挟持部材５２ｃは、箱状部材５２ａとの間に爪フレーム５１を挟持した状態で、箱状部材５２ａにボルトやナット等により締結されることにより、爪フレーム５１を支持することができる。
【００７５】
薬液注入爪５３・５３・・・は、圃場内に先端を挿入させながら薬液を注入するものである。薬液注入爪５３・５３・・・の上端は、爪取付部材５３ａ・５３ａ・・・を介して爪フレーム５１に固定され、爪フレーム５１の左右に亘って６本の薬液注入爪５３・５３・・・が並設される。爪取付部材５３ａ・５３ａ・・・を爪フレーム５１に取り付ける際の左右方向位置を任意に調節することによって、薬液注入爪５３・５３・・・間の距離を任意に設定することができる。薬液注入爪５３の後側面下部には、薬液圧送部３０により圧送される薬液を吐出する薬液注入ノズル５３ｂが固設される。
【００７６】
本実施形態において、薬液注入爪５３・５３・・・は、爪フレーム５１の左右に亘って計６本具備される構成とするが、薬液注入爪５３・５３・・・の本数はこれに限るものではない。また、薬液注入爪５３・５３・・・は左右方向に並設される構成としたが、これに限るものではなく、隣り合う薬液注入爪５３・５３・・・同士を前後方向に任意の距離だけずらして配置する構成とすることも可能である。このように構成することにより、隣り合う薬液注入爪５３・５３・・・間の距離を大きくとることができ、当該薬液注入爪５３・５３・・・間を土壌が通過し易くなるため、土壌消毒機１が当該土壌から受ける抵抗力を減少させることができる。
【００７７】
このように構成された薬液注入部５０において、可動フレーム５２のガイド部材５２ｂには、連結部１０の調節フレーム１６・１６がそれぞれ摺動可能に挿通される。また、可動フレーム５２の貫通孔５２ｄには、高さ調節レバー１７のネジ部１７ａが螺挿される。この状態で高さ調節レバー１７を回動操作すると、当該高さ調節レバー１７に螺合された可動フレーム５２が上下方向に移動し、ひいては薬液注入爪５３・５３・・・が上下方向に移動する。このように、高さ調節レバー１７を回動させることで、薬液注入爪５３・５３・・・の高さを所望の高さに調節することができ、圃場への薬液の注入深さを調節することができる。
【００７８】
次に、図８から図１０までを用いて、マルチ作業部６０の構成について説明する。マルチ作業部６０は、主として作業フレーム６１、車輪フレーム６２、車輪６３、作溝輪６４、マルチ支持機構７０、フィルムパイプ６５を具備する。なお、マルチ作業部６０の構成は左右略対称であるため、以下では機体左側についてのみ説明する。
【００７９】
図８に示すように、作業フレーム６１は、種々の板材、パイプ部材等から構成される。作業フレーム６１の一端（前端）は、支持フレーム２１の左端近傍に固定される。作業フレーム６１は、支持フレーム２１に対して左右方向位置調節可能に構成される。作業フレーム６１の他端は、後方に延設される。
【００８０】
車輪フレーム６２は、種々の板材、パイプ部材等から構成される。車輪フレーム６２の一端（上端）は、作業フレーム６１の前端近傍に固定される。車輪フレーム６２は、作業フレーム６１に対して上下方向位置調節可能に構成される。車輪フレーム６２の他端は、下方に延設される。
【００８１】
車輪６３は、車輪フレーム６２の下端に回動可能に支持される。
作溝輪６４は、作溝フレーム６４ａを介して車輪フレーム６２に支持される。作溝輪６４は、作溝フレーム６４ａに回動可能に支持され、作溝フレーム６４ａは、車輪フレーム６２に取り付け角度を変更可能に支持される。
【００８２】
図８及び図９に示すように、マルチ支持機構７０は、フィルムパイプ６５を回動可能に支持するものである。マルチ支持機構７０は、主としてフィルムフレーム７１、フィルムロッド７２、ストッパ７３、フィルム支持部材７４、ストッパスプリング７５、ストッパスプリング７６を具備する。
【００８３】
フィルムフレーム７１は、種々の板材、パイプ部材等から構成される。フィルムフレーム７１は、主として横フレーム７１ａ、縦フレーム７１ｆ・７１ｆを具備する。
【００８４】
横フレーム７１ａは、角状のパイプ部材である。横フレーム７１ａの長手方向は左右方向に向けて配置される。横フレーム７１ａの左右中央上部には、横フレーム７１ａの内部と外部とを連通する貫通孔７１ｂが形成され、当該貫通孔７１ｂの上部にはナット７１ｃが固設される。ノブボルト７１ｄをナット７１ｃにねじ込むことにより、ノブボルト７１ｄの下端を貫通孔７１ｂを通して横フレーム７１ａの内部に突出させることができる。横フレーム７１ａの右端下部には、丸棒を正面視略Ｃ字状に折り曲げて形成されたバネ掛け部材７１ｅが固設される。
【００８５】
縦フレーム７１ｆ・７１ｆは、左右一対の板状の部材である。縦フレーム７１ｆ・７１ｆの後端は、それぞれ横フレーム７１ａの左右端部近傍に固設され、縦フレーム７１ｆ・７１ｆの前端は、車輪フレーム６２の下端に支持される。
【００８６】
フィルムロッド７２は、円柱状の部材を折り曲げて形成されるものである。フィルムロッド７２の後端は、左側の縦フレーム７１ｆに連結され、フィルムロッド７２の前端は、車輪フレーム６２の上下中途部に連結される。フィルムロッド７２には、フィルムスプリング７２ａにより所定の付勢力が付与され、フィルムロッド７２の位置を所定範囲内に保持している。
【００８７】
ストッパ７３は、角状のパイプ部材である。ストッパ７３の左右中央上部には、ストッパ７３の内部と外部とを連通するネジ孔７３ａが形成される。ノブボルト７３ｂをネジ孔７３ａにねじ込むことにより、ノブボルト７３ｂの下端をストッパ７３の内部に突出させることができる。ストッパ７３の下部には、丸棒を正面視略Ｃ字状に折り曲げて形成されたバネ掛け部材７３ｃが固設される。
【００８８】
フィルム支持部材７４は、種々の板材、棒材等から構成される。フィルム支持部材７４は、主として摺動部材７４ａ、フィルムステー７４ｂ、フィルム取付輪７４ｃを具備する。
【００８９】
摺動部材７４ａは、角状の棒材である。摺動部材７４ａは、左方からストッパ７３及び横フレーム７１ａに挿通される。摺動部材７４ａがストッパ７３に挿通された状態でノブボルト７３ｂをねじ込むことにより、ノブボルト７３ｂの下端が摺動部材７４ａに当接し、摺動部材７４ａがストッパ７３に対して摺動不能となる。また、摺動部材７４ａが横フレーム７１ａに挿通された状態でノブボルト７１ｄをねじ込むことにより、ノブボルト７１ｄの下端が摺動部材７４ａに当接し、摺動部材７４ａが横フレーム７１ａに対して摺動不能となる。
【００９０】
フィルムステー７４ｂは、板状の部材である。フィルムステー７４ｂの上端は、摺動部材７４ａの左端に固設され、フィルムステー７４ｂの下端は、下方に向けて延設される。
【００９１】
フィルム取付輪７４ｃは、フィルムパイプ６５を支持する部材である。フィルム取付輪７４ｃは、フィルムステー７４ｂの下端右側面に回動可能に支持される。
【００９２】
ストッパスプリング７５は、ノブボルト７１ｄとノブボルト７３ｂとの間に横架される引っ張りバネである。ストッパスプリング７５の付勢力により、ストッパ７３は横フレーム７１ａに近接する方向に常に付勢される。また、ストッパスプリング７５の付勢力がノブボルト７１ｄ及びノブボルト７３ｂに常に加わることにより、ノブボルト７１ｄ及びノブボルト７３ｂの緩みを防止することもできる。
【００９３】
ストッパスプリング７６は、バネ掛け部材７３ｃとバネ掛け部材７１ｅとの間に横架される引っ張りバネである。ストッパスプリング７６の付勢力により、ストッパ７３は横フレーム７１ａに近接する方向に常に付勢される。このように、ストッパスプリング７５及びストッパスプリング７６を用いてストッパ７３を上下両側から付勢することにより、ストッパ７３の傾きを防止し、当該ストッパ７３を摺動部材７４ａに対して滑らかに摺動させることができる。
【００９４】
フィルムパイプ６５は、マルチフィルム６５ａをパイプ状になるように巻いて構成される部材である。フィルムパイプ６５の両端は、それぞれ左右のフィルム取付輪７４ｃ・７４ｃに支持されることにより、マルチ支持機構７０に回動可能に支持される。
【００９５】
以下では、マルチ支持機構７０において、フィルムパイプ６５の中心位置を設定する方法について説明する。
【００９６】
マルチフィルム６５ａを畝全体に確実に張るためには、フィルムパイプ６５の中心位置を、畝の中心位置に合わせる必要がある。この場合、まず、ノブボルト７１ｄ及びノブボルト７３ｂを緩める。これによって、フィルム支持部材７４がフィルムフレーム７１及びストッパ７３から独立して、自由に左右方向に摺動可能となる。
【００９７】
次に、フィルム支持部材７４を左右に摺動させ、フィルムパイプ６５の中心位置が畝の中心位置と一致するように、フィルム支持部材７４の位置を調節する。この際、ストッパ７３はストッパスプリング７５及びストッパスプリング７６によってフィルムフレーム７１に近接するように付勢されているため、常に横フレーム７１ａと当接する位置に保持される。
【００９８】
フィルム支持部材７４の位置を調節したら、ノブボルト７１ｄ及びノブボルト７３ｂをねじ込む。これによって、フィルム支持部材７４がフィルムフレーム７１及びストッパ７３に対して摺動不能となり、ひいてはフィルムパイプ６５の中心位置が決定される。
【００９９】
以下では、図９及び図１０を用いて、マルチ支持機構７０において、フィルムパイプ６５を交換する方法について説明する。
【０１００】
フィルムパイプ６５に巻かれたマルチフィルム６５ａが無くなった場合、新たなフィルムパイプ６５と交換する必要がある。この場合、まず、ノブボルト７１ｄのみを緩める。これによって、フィルム支持部材７４がフィルムフレーム７１から独立して、自由に左右方向に摺動可能となる。しかし、ストッパ７３はフィルム支持部材７４に固定されているため、当該ストッパ７３はフィルム支持部材７４が摺動すると、当該フィルム支持部材７４とともに左右方向に移動する。
【０１０１】
次に、図１０に示すように、フィルム支持部材７４を左方に摺動させ、マルチフィルム６５ａが無くなったフィルムパイプ６５からフィルム取付輪７４ｃを離間させ、当該フィルムパイプ６５を新たなフィルムパイプ６５に交換する。
【０１０２】
新たなフィルムパイプ６５と交換したら、ストッパスプリング７５及びストッパスプリング７６の付勢力によりフィルム支持部材７４が右方に摺動され、フィルム取付輪７４ｃによりフィルムパイプ６５が支持される（図９参照）。この場合、ストッパ７３はストッパスプリング７５及びストッパスプリング７６により右方に付勢されているため、ストッパ７３は横フレーム７１ａに当接するまで右方に移動し、当該ストッパ７３とともにフィルム支持部材７４は自動的に右方に摺動する。すなわち、作業者がフィルム支持部材７４を右方に摺動させるまでもなく、フィルムパイプ６５を取り付けることができる。また、ストッパ７３はフィルム支持部材７４に固定されたままであるため、フィルム支持部材７４は、フィルムパイプ６５を交換する前にフィルムパイプ６５の中心位置を調節した位置に戻ることができる。
【０１０３】
フィルム支持部材７４を右方に摺動させたら、ノブボルト７１ｄをねじ込む。これによって、フィルム支持部材７４がフィルムフレーム７１に対して摺動不能となり、フィルムパイプ６５が所定の位置で確実に支持される。
【０１０４】
このように、ノブボルト７１ｄを緩め、フィルム支持部材７４を左方に摺動させてフィルムパイプ６５を交換した後、再びノブボルト７１ｄを締める、という簡単な作業により、フィルムパイプ６５の交換が可能となる。
【０１０５】
以下では、図１１及び図１２を用いて、土壌消毒機の他の実施形態である土壌消毒機１０１について説明する。
【０１０６】
本実施形態に係る土壌消毒機１０１が、第一実施形態に係る土壌消毒機１と異なる点は、マルチ作業部６０に代えて、鎮圧作業部８０及び接地検出部９０を具備する点である。
【０１０７】
鎮圧作業部８０は、薬液注入部５０によって薬液が注入された圃場を押し固めるものである。鎮圧作業部８０は、主として鎮圧フレーム８１、鎮圧ブラケット８２、鎮圧ローラ８３、スクレーパ８４を具備する。
【０１０８】
鎮圧フレーム８１は、種々の板材やパイプ材等から構成される。鎮圧フレーム８１の一端（前端）は、挟持部材８１ａとによって主フレーム１２を挟持することで、当該主フレーム１２の左右中央近傍に固定される。鎮圧フレーム８１の他端（後端）は、後方に延設される。
【０１０９】
鎮圧ブラケット８２は、円柱状の部材を折り曲げて形成されたものである。鎮圧ブラケット８２は、正面視上下逆Ｕ字状に形成される。鎮圧ブラケット８２の左右中央部に固定される取付部８２ａが、支持軸８２ｂによって鎮圧フレーム８１の後端部の左右中央部に支持されることで、鎮圧ブラケット８２は鎮圧フレーム８１に対して揺動可能に支持される。鎮圧ブラケット８２の左右両端は、下方に向かって延設される。
【０１１０】
鎮圧ローラ８３は、略円柱状の部材であり、鎮圧ブラケット８２の左右両端間に回動可能に支持される。
【０１１１】
スクレーパ８４は、角状のパイプ部材である。スクレーパ８４は、鎮圧ローラ８３の後方において、当該鎮圧ローラ８３と近接するように横架される。
【０１１２】
このように構成された鎮圧作業部８０において、鎮圧ローラ８３は、圃場の上を転がりながら、薬液注入部５０によって薬液が注入された圃場を押し固める。このように、圃場を押し固めることによって当該圃場に注入された薬液の大気中への発散を防止することで、当該薬液による圃場内の殺菌及び消毒を効果的に行うことができる。
【０１１３】
接地検出部９０は、土壌消毒機１０１が圃場に接地しているか否かを検出するものである。接地検出部９０は、主として接地ブラケット９１、板バネ９２、リミットスイッチ９３を具備する。
【０１１４】
接地ブラケット９１は、板状の部材を組み合わせて構成される箱状の部材である。接地ブラケット９１は、爪フレーム５１から前方に向けて突設される。
【０１１５】
板バネ９２は、板材を折り曲げて形成された部材である。板バネ９２の上端は、接地ブラケット９１に回動可能に支持される。
【０１１６】
リミットスイッチ９３は、板バネ９２の上端後方において、接地ブラケット９１に固定される。リミットスイッチ９３は、板バネ９２が後方に所定角度まで回動した場合、接触可能な位置に配置される。また、リミットスイッチ９３は図示せぬ制御装置に接続され、当該制御装置は、薬液圧送部３０のモータ４７に接続され、リミットスイッチ９３の検出信号に基づいて、モータ４７の駆動又は停止を切り替えることができる。
【０１１７】
このように構成された接地検出部９０において、トラクタ２００の図示せぬ昇降装置により耕耘装置２０１が下降された場合、板バネ９２の下端が圃場に接触することにより、当該板バネ９２が後方に回動する。これによって、板バネ９２の上端部が、リミットスイッチ９３に接触し、当該リミットスイッチ９３は検出信号を前記制御装置に送信する。当該制御装置は、リミットスイッチ９３の検出信号を受けて、モータ４７を駆動することにより薬液を圧送し、圃場に注入する。
【０１１８】
トラクタ２００の昇降装置により耕耘装置２０１が上昇された場合、板バネ９２の下端が圃場から離間することにより、当該板バネ９２が前方に回動する。これによって、板バネ９２の上端部が、リミットスイッチ９３から離間し、当該リミットスイッチ９３は前記制御装置に送信していた検出信号を停止する。当該制御装置は、リミットスイッチ９３の検出信号を受けていないため、モータ４７を停止することにより薬液の圧送を停止する。
【０１１９】
このように、接地検出部９０を用いることにより、薬液の圧送と停止を自動的に切り替えることができ、作業効率の向上を図ることができる。また、薬液注入部５０によって薬液が注入された圃場を鎮圧ローラ８３によって押し固める場合、当該鎮圧ローラ８３による圃場の鎮圧が十分でないと、圃場に注入された薬液が大気中へと発散してしまうことがある。そこで、接地検出部９０を用いることで、鎮圧ローラ８３による圃場の鎮圧が十分でない場合には自動的に薬液の圧送を停止し、薬液の大気中への発散を防止することができる。
【符号の説明】
【０１２０】
１      土壌消毒機
１０    連結部
２０    支持部
３０    薬液圧送部
３３    ポンプケース
３５ｃ  目盛盤
３６    薬液ポンプ
３７    圧送装置
４０    駆動装置
４１    揺動クランク
４２    支点軸
４３    調節レバー
４４    針板
５０    薬液注入部
５３    薬液注入爪
６０    マルチ作業部
７０    マルチ支持機構
【図１】
2011055804.tif 000003
【図２】
2011055804.tif 000004
【図３】
2011055804.tif 000005
【図４】
2011055804.tif 000006
【図５】
2011055804.tif 000007
【図６】
2011055804.tif 000008
【図７】
2011055804.tif 000009
【図８】
2011055804.tif 000010
【図９】
2011055804.tif 000011
【図１０】
2011055804.tif 000012
【図１１】
2011055804.tif 000013
【図１２】
2011055804.tif 000014